(57)【要約】【課題】本発明は、このようなガス給湯機の制御回路に関するもので、特に１次側の電圧変動を２次側で監視することにより、制御回路の簡素化と、熱交換器閉塞状況監視回路の信頼性向上を目的とする。【解決手段】マイコン４からの回転数信号７と燃焼ファンからの回転数フィートバック信号８を比較することで熱交換器の閉塞状況を診断するとともに、電源電圧変動検出手段で検出した電圧変動と予め記憶している電源電圧変動に対する回転数信号と回転数フィートバック信号の関係より求めた電圧変動による影響度合いを前記比較結果に反映するように構成することで、制御回路の簡素化と、熱交換器閉塞状況監視回路の信頼性向上を行うことができる。【選択図】  図１
2004340505.tif 000002
【特許請求の範囲】
【請求項１】
給湯機の各種制御を行うマイコンと、商用電源を入力し各種２次電源を構成する電源トランスと、前記電源トランスの２次側電源の電圧変動を監視することで１次側電源の電圧変動を監視する電源電圧変動検出手段と、水を加熱して湯にする熱交換器と、前記熱交換器を加熱する燃焼バーナと、前記燃焼バーナへ空気を送る燃焼ファンと、前記燃焼ファンの回転数を検知する第１のセンサーと、前記第１のセンサーからのフィードバック信号を前記マイコンへ入力する第２の制御回路と、前記燃焼ファンの回転数を制御する第１の制御回路とを備え、前記マイコンからの回転数信号と前記第２の制御回路からの回転数フィートバック信号を比較することで熱交換器の閉塞状況を診断するとともに、前記電源電圧変動検出手段で検出した電圧変動と予め記憶している電源電圧変動に対する回転数信号と回転数フィートバック信号の関係より求めた電圧変動による影響度合いを前記比較結果に反映するようにしたガス給湯機の制御回路。
【請求項２】
電源電圧変動検出手段は、２次側電源において接続される負荷の変動に対して電圧変動のない２次側電圧を使用する請求項１記載のガス給湯機の制御回路。
【請求項３】
電源電圧変動検出手段は、２次側電源においてフレームロッドへの印加電源を使用する請求項１または２記載のガス給湯機の制御回路。
【請求項４】
給湯機の各種制御回路を制御するマイコンは１個とする請求項１〜３のいずれか１項記載のガス給湯機の制御回路
【発明の詳細な説明】
【０００１】
【発明の属する技術分野】
本発明はガス給湯機における制御回路の技術、特に熱交換器の閉塞状況診断回路において、１次側の電圧変動を２次側で監視することにより、制御回路の簡素化と、信頼性向上に関するものである。
【０００２】
【従来の技術】
従来この種のガス給湯機の制御回路は、商用電源から絶縁せずに１次側電源でマイコンの電源、各種制御電源を構成し、１次側の電源変動監視、燃焼ファンの回転数の検出、燃焼ファンへのマイコンからの回転数信号の出力など、全て１次側で回路を構成していた。そのため燃焼ファン制御用に一次側にマイコン１個と、その他の制御用に２次側にマイコンを１個、合計２個のマイコンを使用していた。（例えば特許文献１参照）。
【０００３】
【特許文献１】
特開２００２−１６８４４７号公報
【０００４】
【発明が解決しようとする課題】
しかしながら従来のガス給湯機の制御回路では、１次側と２次側の制御回路が存在することになり、マイコンも１次側と２次側にそれぞれ１個設けなければならない制御回路構成で、非常に高価な制御回路であった。
【０００５】
また、１次側と２次側のインターフェイスには絶縁素子を介しての信号の送受信を行うため、信号の伝達速度が要求される際には非常に不利な条件であった。
【０００６】
また、２次側で燃焼ファンの回路を構成することにより、全て回路を２次側構成しても、一次側の電圧変動の監視がないため、熱交換器の閉塞状況は燃焼ファンの回転数とマイコンからの回転数信号との比較のみとなり、熱交換器閉塞状況監視回路の信頼性もあまり高いものではなかった。
【０００７】
本発明は、このようなガス給湯機の制御回路において、１次側の電圧変動を２次側で監視することにより、制御回路の簡素化と、熱交換器閉塞状況監視回路の信頼性向上を目的としたものである。
【０００８】
【課題を解決するための手段】
上記課題を解決するため本発明のガス給湯機の制御回路は、マイコンからの回転数信号と燃焼ファンからの回転数フィートバック信号を比較することで熱交換器の閉塞状況を診断するとともに、電源電圧変動検出手段で検出した電圧変動と予め記憶している電源電圧変動に対する回転数信号と回転数フィートバック信号の関係より求めた電圧変動による影響度合いを前記比較結果に反映するようにしてある。
【０００９】
上記発明によれば、２次側電源で接続される負荷の変動に対して電圧変動のない２次側電圧を監視することにより、１次側の電圧変動を監視するので、マイコンも２次側に１個設けるのみで、制御回路も基本的には２次側電圧で構成するため、制御回路の簡素化と、熱交換器閉塞状況監視回路の信頼性向上が図れる。
【００１０】
【発明の実施の形態】
請求項１に記載の発明は、給湯機の各種制御を行うマイコンと、商用電源を入力し各種２次電源を構成する電源トランスと、前記電源トランスの２次側電源の電圧変動を監視することで１次側電源の電圧変動を監視する電源電圧変動検出手段と、水を加熱して湯にする熱交換器と、前記熱交換器を加熱する燃焼バーナと、前記燃焼バーナへ空気を送る燃焼ファンと、前記燃焼ファンの回転数を検知する第１のセンサーと、前記第１のセンサーからのフィードバック信号を前記マイコンへ入力する第２の制御回路と、前記燃焼ファンの回転数を制御する第１の制御回路とを備え、前記マイコンからの回転数信号と前記第２の制御回路からの回転数フィートバック信号を比較することで熱交換器の閉塞状況を診断するとともに、前記電源電圧変動検出手段で検出した電圧変動と予め記憶している電源電圧変動に対する回転数信号と回転数フィートバック信号の関係より求めた電圧変動による影響度合いを前記比較結果に反映するようにしたことを特徴とするものであり、電源トランスの２次側電源で１次側の電圧変動を監視することにより、マイコンからの燃焼ファン回転数信号と燃焼ファンの回転数の関係を１次側電源の変動条件を追加し、マイコンで監視することにより熱交換器閉塞状況診断回路は１次側の電圧変動でも誤判定による誤動作はしないという作用を有する。
【００１１】
請求項２に記載の発明は、電源電圧変動検出手段は、２次側電源において接続される負荷の変動に対して電圧変動のない２次側電圧を使用することを特徴とするものであり、１次側の電圧変動を正確に監視ができ、熱交換器閉塞状況診断回路が誤判定による誤動作はしないという作用を有する。
【００１２】
請求項３に記載の発明は、電源電圧変動検出手段は、２次側電源においてフレームロッドへの印加電源を使用することを特徴とするものであり、フレームロッドへの印加電源を使用すれば電圧変動もなく、ガス給湯機の制御回路では必ず単独で存在する電源トランスの２次側の巻き線のため、新たに専用で設けることもなく、制御回路の簡素化が可能であるという作用を有する。
【００１３】
請求項４に記載の発明は、電源トランスの２次側電源で１次側の電圧変動を監視することにより、給湯機の各種制御回路を制御するマイコンは１個となるため制御回路の簡素化が可能であるという作用を有する。
【００１４】
【実施例】
以下、本発明の一実施例について図面を用いて説明する。
【００１５】
（実施例１）
図１は本発明のガス給湯機の制御回路を示す。
【００１６】
電源トランス２の１次側には商用電源１を入力し燃焼ファン１５の電源も商用電源１を入力する。電源トランス２の２次側にはマイコン４の電源電圧、その他の制御回路３への電源電圧を構成したり、フレームロッド回路６への印加電圧を構成している。
【００１７】
燃焼ファン１５の制御は、マイコン４からの第１の回転数信号７を第１の制御回路９に入力し、第１の絶縁素子１０を介し、１次側の第２の制御回路１２へ入力され、燃焼ファン１５へ回転数指令電圧１３として入力された後、燃焼ファン１５は回転数指令電圧１３通りの回転数に制御される。燃焼ファン１５からは現状の回転数信号１４を出力、第２の制御回路１２へ入力され、第２の絶縁素子１１を介し、２次側の第１の制御回路９へ入力さた後、回転数フィードバック信号８としてマイコン４へ入力される。
【００１８】
マイコン４は第１の回転数信号７と回転数フィードバック信号８とを比較し、熱交換器の閉塞を監視する。もし、熱交換器の閉塞が激しい場合は燃焼ファン１５にかかる負荷が軽くなるため、マイコン４からの第１の回転数信号７より、回転数フィードバック信号８の方が大きくなる。その差がある定められた値よりも大きくなると、給湯機の動作を停止させる。
【００１９】
しかしながら、燃焼ファン１５の回転数は商用電源１の変動により変化する。例えば、商用電源１が定格１００Ｖに対しプラス方向に変化すれば回転数は上がる。そのため、第１の回転数信号７と回転数フィードバック信号８の差だけでは、熱交換器の閉塞が正確に監視できないため、商用電源１の電圧変動もマイコン４で監視することが必要である。
【００２０】
本実施例では商用電源１の電圧変動を検出する電源電圧変動検出手段を、負荷変動のない２次側のフレームロッド用電圧５の変動に置き換えて、マイコン４で監視することで行っている。フレームロッド用電圧５は負荷による変動がないため、変動する要素は商用電源１の電圧変動時のみである。従って、フレームロッド用電圧５を監視することにより、商用電源１の電圧変動を監視することが可能である。
【００２１】
マイコン４にはあらかじめ商用電源１の変動に対する第１の回転数信号７と回転数フィードバック信号８の差をメモリーさせておき、第１の回転数信号７と回転数フィードバック信号８の比較する際は、メモリーされているデータとの相関関係を計算しながら、熱交換器の閉塞状況を監視する。
【００２２】
【発明の効果】
以上のように本発明によれば、電源トランスの２次側電源で１次側の電圧変動を監視することにより、マイコンからの燃焼ファン回転数信号と燃焼ファンの回転数の関係を１次側電源の変動条件を追加し、マイコンで監視することにより熱交換器閉塞状況診断回路は１次側の電圧変動でも誤判定による誤動作はしない。特に、フレームロッドへの印加電源を使用すれば電圧変動もなく、ガス給湯機の制御回路では必ず単独で存在する電源トランスの２次側の巻き線のため、新たに専用で設けることもない。またマイコンは１個となるため、熱交換器閉塞状況診断回路の信頼性向上と制御回路の簡素化が出来る。
【図面の簡単な説明】
【図１】本発明の実施例１のガス給湯機の制御回路を示す図
【符号の説明】
１  商用電源
２  電源トランス
４  マイコン
８  回転数フィードバック信号
９  第１の制御回路
１２  第２の制御回路
１５  燃焼ファン
【図１】
2004340505.tif 000003